【事件の表示】
　特願２００７−２５１１１９「超音波診断装置、及び、入力ガイド方法」拒絶査定不服審判事件〔平成２１年　４月１６日出願公開、特開２００９−　７８０８３〕について、次のとおり審決する。
【結　論】
　本件審判の請求は、成り立たない。
【理　由】
第１　手続の経緯
　本願は、平成１９年（２００７年）９月２７日を出願日とする特願２００７−２５１１１９号であって、平成２４年５月９日付けで拒絶理由が通知され、同年７月１３日付けで意見書が提出されるとともに、同日付けで手続補正がなされ、同年１０月１０日付けで拒絶査定がなされ、これに対して、平成２５年１月１６日に拒絶査定不服審判の請求がなされ、同時に手続補正がなされたものである。
　その後、当審において、同年８月２７日付けで、前置報告書の内容について審判請求人の意見を事前に求める審尋が行なわれ、同年１０月３１日付けで回答書が提出された。
　
第２　平成２５年１月１６日付けの手続補正についての補正の却下の決定
　
［補正の却下の決定の結論］
　平成２５年１月１６日付けの手続補正（以下「本件補正」という。）を却下する。
　
［理由］
１　本件補正について
　本件補正により、特許請求の範囲の請求項７に係る発明は、平成２４年７月１３日付けの手続補正書の特許請求の範囲の請求項９に記載の、
　
「入力手段と、
　被検体に超音波を送波し、前記送波された超音波の反射波を受け、前記反射波に基づいて画像データを生成し、前記生成した画像データに基づいて診断用画像を表示するための各構成要素と、
　前記各構成要素を前記入力手段からの入力情報に基づいて制御する制御手段と、
　前記入力手段から順次入力される複数の前記入力情報について前記診断用画像の画質に関わるものか否かを判定し、前記複数の入力情報のうちから、前記診断用画像の画質に関わるパラメータの値を抽出し、前記抽出されたパラメータの値に基づく制御を行うためのファイルを、前記診断用画像の画質に関わる前記入力情報が入力された順序に基づいて作成するファイル作成手段とを有することを特徴とする超音波診断装置。」が　
　
「入力手段と、
　被検体に超音波を送波し、前記送波された超音波の反射波を受け、前記反射波に基づいて画像データを生成し、前記生成した画像データに基づいて診断用画像を表示するための各構成要素と、
　前記各構成要素を前記入力手段からの入力情報に基づいて制御する制御手段と、
　前記入力手段から順次入力される複数の前記入力情報について前記診断用画像の画質に関わるものか否かを判定し、前記複数の入力情報のうちから、前記診断用画像の画質に関わるパラメータの値を抽出し、前記抽出されたパラメータの値に基づく制御を行うためのファイルを、前記診断用画像の画質に関わる前記入力情報が入力された順序に基づいて作成するファイル作成手段とを有
し、
　
前記ファイル作成手段は、前記入力手段に設けられた操作キーによる指示に基づいて前記ファイルを作成する一方で、前記入力情報が前記診断用画像のデータの保存並びに前記診断用画像のフリーズ及びプリントのうち少なくとも一つを含むとき、前記ファイルの作成を終了す
　
　そして、この補正は、ファイルの「作成」及びその「終了」について、「前記ファイル作成手段は、前記入力手段に設けられた操作キーによる指示に基づいて前記ファイルを作成する一方で、前記入力情報が前記診断用画像のデータの保存並びに前記診断用画像のフリーズ及びプリントのうち少なくとも一つを含むとき、前記ファイルの作成を終了する」ことを特定する補正事項からなり、当該補正事項は、特許請求の範囲のいわゆる限定的減縮を目的とする補正事項であるといえる。
　なお、上記の補正事項は、本件補正前の請求項１１に記載の内容に加えて「前記ファイル作成手段は、前記入力手段に設けられた操作キーによる指示に基づいて前記ファイルを作成する」という特定事項によっても限定するものであるから、本件補正後の請求項７が本件補正前の請求項１１と同じものではないことから、本件補正が請求項の削除を目的とするものということはできない。
　よって、本件補正における請求項７に係る発明の補正は、特許法第１７条の２第５項第２号に掲げる事項（特許請求の範囲のいわゆる限定的減縮）を目的とするものである。
　
２　独立特許要件違反についての検討
（１）そこで、次に、本件補正後の特許請求の範囲の請求項７に係る発明（以下「本願補正発明」という。）が特許出願の際独立して特許を受けることができるものか（特許法第１７条の２第６項において準用する同法第１２６条第７項の規定に違反しないか）について検討する。
　
（２）引用例
ア　原査定の拒絶の理由に引用され、本願の出願前に頒布された刊行物である特開２００６−２５５０１３号公報（以下「引用例１」という。）には、次の事項が記載されている。（下記の「イ　引用例１に記載された発明の認定」において直接引用した記載に下線を付した。）
　
「【０００１】
　本発明は、超音波診断装置の動作において発生する各イベントに関するパラメータの値の記録、読み出しに関するものであり、特に、検査者が意識的にパラメータの値を記録することなく、以前に設定した画像条件等を再設定させることが可能な超音波診断装置に関する。」
　
「【００１５】
　以下、本発明の実施形態を図面に従って説明する。なお、以下の説明において、略同一の機能及び構成を有する構成要素については、同一符号を付し、重複説明は必要な場合にのみ行う。
【００１６】
　図１は、本実施形態に係る超音波診断装置１０のブロック構成を示した図である。同図に示すように、
本超音波診断装置１０は、超音波プローブ１２、入力装置１３、モニタ１４、送受信ユニット２１、Ｂモード処理ユニット２２、ドプラ処理ユニット２３、画像生成回路２５、画像メモリ２６、制御プロセッサ２７、記憶部２８、パラメータ管理部２９、インタフェース部３０を具備している。
【００１７】
　超音波プローブ１２は、超音波送受信ユニット２１からの駆動信号に基づき超音波を発生し、被検体からの反射波を電気信号に変換する複数の圧電振動子、当該圧電振動子に設けられる整合層、当該圧電振動子から後方への超音波の伝播を防止するバッキング材等を有している。
当該超音波プローブ１２から被検体Ｐに超音波が送信されると、当該送信超音波は、体内組織の音響インピーダンスの不連続面で次々と反射され、エコー信号として超音波プローブ１２に受信される。
【００１８】
　入力装置１３は、装置本体１１に接続され、オペレータからの各種パラメータの値の設定及び変更指示、関心領域（ＲＯＩ）の設定指示等を装置本体１１にとりこむための各種スイッチ、ボタン、トラックボール１３ｓ、マウス１３ｃ、キーボード１３ｄ等を有している。
【００１９】
　モニタ１４は、画像生成回路２５からのビデオ信号に基づいて、生体内の形態学的情報や、血流情報を画像として表示する。
【００２０】
　送受信ユニット２１は、図示しないトリガ発生回路、遅延回路およびパルサ回路等を有している。パルサ回路では、所定のレート周波数ｆｒ　Ｈｚ（周期；１／ｆｒ秒）で、送信超音波を形成するためのレートパルスが繰り返し発生される。また、遅延回路では、チャンネル毎に超音波をビーム状に集束し且つ送信指向性を決定するのに必要な遅延時間が、各レートパルスに与えられる。トリガ発生回路は、このレートパルスに基づくタイミングで、プローブ１２に駆動パルスを印加する。
【００２１】
　なお、送受信ユニット２１は、制御プロセッサ２７の指示に従って後述するスキャンシーケンスを実行するために、送信周波数。送信駆動電圧等を瞬時に変更可能な機能を有している。特に送信駆動電圧の変更については、瞬間にその値を切り替え可能なリニアアンプ型の発信回路、又は複数の電源ユニットを電気的に切り替える機構によって実現される。
【００２２】
　また、送受信ユニット２１は、図示していないアンプ回路、Ａ／Ｄ変換器、加算器等を有している。アンプ回路では、プローブ１２を介して取り込まれたエコー信号をチャンネル毎に増幅する。Ａ／Ｄ変換器では、増幅されたエコー信号に対し受信指向性を決定するのに必要な遅延時間を与え、その後加算器において加算処理を行う。この加算により、エコー信号の受信指向性に応じた方向からの反射成分が強調され、受信指向性と送信指向性とにより超音波送受信の総合的なビームが形成される。
【００２３】
　Ｂモード処理ユニット２２は、送受信ユニット２１からエコー信号を受け取り、対数増幅、包絡線検波処理などを施し、信号強度が輝度の明るさで表現されるデータを生成する。このデータは、画像生成回路２５に送信され、反射波の強度を輝度にて表したＢモード画像としてモニタ１４に表示される。
【００２４】
　ドプラ処理ユニット２３は、送受信ユニット２１から受け取ったエコー信号から速度情報を周波数解析し、ドプラ効果による血流や組織、造影剤エコー成分を抽出し、平均速度、分散、パワー等の血流情報を多点について求める。得られた血流情報は画像生成回路２５に送られ、平均速度画像、分散画像、パワー画像、これらの組み合わせ画像としてモニタ１４にカラー表示される。
【００２５】
　画像生成回路２５は、信号処理回路、スキャンコンバータ、イメージフォーマッタ（それぞれ図示せず）を有している。まず、信号処理回路は、超音波スキャンの走査線信号列のレベルで画質を決定するようなフィルタリングを行う。信号処理回路の出力はスキャンコンバータに送られると同時に、画像メモリ２６に保存される。スキャンコンバータは、超音波スキャンの走査線信号列から、テレビなどに代表される一般的なビデオフォーマットの走査線信号列に変換する。この出力はイメージフォーマッタへ送られ、ここでは、輝度やコントラストの調整や、空間フィルタなどの画像処理、もしくは種々の設定パラメータの文字情報や目盛などと共に合成され、ビデオ信号としてモニタ１４に出力する。
【００２６】
　画像メモリ２６は、画像生成回路２５から受信した画像データを格納する記憶メモリから成る。この画像データは、例えば診断の後に操作者が呼び出すことが可能となっており、静止画的に、あるいは複数枚を使って動画的に再生することが可能でなる。
【００２７】
　制御プロセッサ２７は、情報処理装置（計算機）としての機能を持ち、本超音波診断装置本体の動作を静的又は動的に制御する。
【００２８】
　パラメータ管理部２９は、本超音波診断装置において発生するイベントに関するパラメータの値を時間情報と共に自動記憶し、事後的に読み出して再生するパラメータ管理を実行する。このパラメータ管理部２９によって実現されるパラメータ管理機能については、後で詳しく説明する。
【００２９】
　図２は、
パラメータ管理部２９
【００３０】
　パラメータ設定モニタリング部２９１は、入力装置１３からのパラメータ変更操作をモニタリングし、変更操作があった場合には、変更後のパラメータの値をパラメータ履歴情報記憶部２９５に送り出す。
【００３１】
　パラメータ履歴情報記憶部２９５は、パラメータ設定モニタリング部２９１が変更操作等有りと判定した場合には、所定の指標と関連付けて変更後のパラメータの値を自動的に記憶する。
【００３２】
　パラメータ設定検索部２９３は、パラメータ履歴情報記憶部２９５に格納された情報を、所定の指標及び時間情報に基づいて検索する。
【００３３】
　インタフェース部３０は、入力装置１３、ネットワーク、新たな外部記憶装置（図示せず）に関するインタフェースである。当該装置によって得られた超音波画像等のデータや解析結果等は、インタフェース部３０よって、ネットワークを介して他の装置に転送可能である。
【００３４】
　（パラメータ管理機能）
　次に、本超音波診断装置１０が有するパラメータ管理機能について説明する。本管理機能は、パラメータ設定自動記憶機能と、パラメータ設定検索再現機能とに大きく分類することができる。以下、それぞれについて説明する。
【００３５】
ａ．パラメータ設定自動記憶機能
　
パラメータ設定自動記憶機能は、所定のパラメータの設定値を、所定の指標と対応付けて自動的に記憶する機能である。記憶の対象となるパラメータ（記憶対象パラメータ）は、当該超音波診断装置の動作制御の際に設定され、且つ超音波画像の画質に影響を与えるもののうち、検査者が選択した任意のパラメータである。
【００３６】
　また、記憶対象パラメータと対応付けられる指標とは、記憶対象パラメータの検索を目的として体系化するためのものであり、例えば、患者ＩＤ、検査者ＩＤ、検査番号、検査日時、診療科名、診断部位、疾患名その他の任意の管理上の概念である。検査者は、所望の指標を少なくとも一つ選択することで、記憶対象パラメータを当該指標によって管理することができる。
【００３７】
　なお、本実施形態においては、説明を具体的にするため、患者毎に実施される超音波診断において、超音波診断装置の動作に必要な全ての機械的若しくは電気的又は物理的パラメータを記憶対象パラメータとする。また、記憶対象パラメータと対応付けられる指標として、患者ＩＤ（医師や技師のＩＤ）、検査者ＩＤ、検査番号、検査日時を選択するものとする。
【００３８】
　
本自動記憶は、スイッチ・ボタン１３ｂのある特定のスイッチやボタン等（例えば、新たな（変更後の）パラメータ値を入力し、その値の確定を指示するための「ＳＥＴ」ボタン等や、検査ルーチンで頻繁に利用される所定のキー等）が押された場合に、これをトリガとして実施される。
「【００４１】
　図４は、新たなパラメータ値が入力され、その値の確定を指示する操作が実行された場合の自動記憶処理のシーケンス図である。まず、ユーザにより入力装置１３から変更されたパラメータ値の確定を指示する入力が実行されると、インタフェース部３０は、パラメータ変更イベントを制御プロセッサ２７に送信する。制御プロセッサ２７は、受信したパラメータ変更イベントに従って、パラメータの値の変更を行うと共に、パラメータの値の変更情報（変更後のパラメータの値）をパラメータ管理部２９に、パラメータ変更イベント送信をインタフェース部３０に送信する。
【００４２】
　
パラメータ管理部２９のパラメータ設定モニタリング部２９１は、パラメータの値の変更情報を受信し、受信した情報が記憶対象パラメータに該当するか否かを判定する。記憶対象パラメータに該当すると判定した場合には、パラメータ設定モニタリング部２９１は、パラメータの値の変更情報をパラメータ履歴情報記憶部２９５に送り出す。パラメータ履歴情報記憶部２９５は、受け取ったパラメータの値の変更情報を時刻情報及び指標と対応付け、パラメータ履歴情報として保存する。
　
「【図１】
　　　　　　　　　　　　　　　　　　　　　　　　　　　　　　　」
　
「【図２】
　　　　　　　　　　　　　　　　　　　　　　　　　　　　　　　　」
　
「【図４】
　　　　　　　　　　　　　　　　　　　　　　　　　　　　　」
　
イ　引用例１に記載された発明の認定
　上記【００１７】〜【００２５】及び【図１】の記載から、超音波プローブ１２が受信した体内組織からのエコー信号は、入力装置１３から入力され設定された各種パラメータを用いて画像データに生成され、モニター１４に表示されることが読み取れる。
　よって、上記記載（図面の記載も含む）から、引用例１には、
「超音波プローブ１２、入力装置１３、モニタ１４、送受信ユニット２１、Ｂモード処理ユニット２２、ドプラ処理ユニット２３、画像生成回路２５、画像メモリ２６、制御プロセッサ２７、記憶部２８、パラメータ管理部２９、インタフェース部３０を具備している超音波診断装置１０であって、
　超音波プローブ１２から被検体Ｐに超音波が送信されると、当該送信超音波は、体内組織の音響インピーダンスの不連続面で次々と反射され、エコー信号として超音波プローブ１２に受信され、
　超音波プローブ１２が受信した体内組織からのエコー信号は、入力装置１３から入力され設定された各種パラメータを用いて画像データに生成され、、モニター１４に表示され、
　パラメータ管理部２９によって、所定のパラメータの設定値を、所定の指標と対応付けて自動的に記憶するパラメータ設定自動記憶機能が備えられ、上記パラメータ設定自動記憶機能において、記憶の対象となるパラメータ（記憶対象パラメータ）は、当該超音波診断装置の動作制御の際に設定され、且つ超音波画像の画質に影響を与えるもののうち、検査者が選択した任意のパラメータであり、
　本自動記憶は、スイッチ・ボタン１３ｂのある特定のスイッチやボタン等が押された場合に、これをトリガとして実施され、
　パラメータ管理部２９のパラメータ設定モニタリング部２９１は、パラメータの値の変更情報を受信し、受信した情報が記憶対象パラメータに該当するか否かを判定し、記憶対象パラメータに該当すると判定した場合には、パラメータ設定モニタリング部２９１は、パラメータの値の変更情報をパラメータ履歴情報記憶部２９５に送り出し、パラメータ履歴情報記憶部２９５は、受け取ったパラメータの値の変更情報を時刻情報及び指標と対応付け、パラメータ履歴情報として保存する超音波診断装置１０。」
の発明（以下「引用発明」という。）が記載されている。
　
ウ　本願の出願前に頒布された刊行物である特開２００１−２９９７６３号公報（以下「引用例２」という。）には、次の事項が記載されている。
　
「【０００１】
【発明の属する技術分野】本発明は、超音波診断装置に関し、特に超音波診断の好適な条件設定を容易に実現することに関する。」
　
「【００２０】また別の本発明に係る超音波診断装置は、検査対象に応じた調整の結果に基づく新たなパラメータセットを前記記憶手段に登録する登録手段を有するものである。
【００２１】本発明によれば、ユーザが検査対象に応じて調整を行った結果、好適な超音波診断が実現された場合、そのときの調整パラメータに基づいて新たなパラメータセットが生成され、これが記憶手段に登録される。登録される新たなパラメータセットは、例えば、好適な超音波診断が実現されたときの調整パラメータからなるパラメータセットである。また、例えば、そのような調整結果のパラメータセットと類似する既登録のパラメータセットを考慮に入れて新たに生成されたものを登録することもできる。
【００２２】また本発明に係る超音波診断装置は、ユーザにより超音波診断画像がフリーズされた時に設定されている新たなパラメータセットを前記記憶手段に登録する登録手段を有するものである。
【００２３】ユーザが超音波診断画像をフリーズするときは基本的に好適な画質が達成されたときであることに基づいて、本発明によればフリーズを新規のパラメータセット登録のタイミングとする。」
　
「【００２４】
【発明の実施の形態】次に、本発明の実施形態について図面を参照して説明する。
【００２５】図１は本発明の実施形態である超音波診断装置の概略のブロック図である。この超音波診断装置は、被検者体内へ送波した超音波のエコーに基づいて断層画像を生成して表示する機能を有している。
【００２６】図１において、プローブ２は、超音波パルスの送波及びエコーの受波を行う超音波探触子である。このプローブ２はアレイ振動子を有しており、そのアレイ振動子の電子走査によって超音波ビームが電子的に走査される。送受信回路４はプローブ２に対して送信信号を供給する送信回路と、プローブ２からの受信信号に対して増幅や整相加算などの処理を行う受信回路とを含んでいる。送受信回路４は制御部６の制御を受け、その制御によって送信ビームの形成及び受信ビームの形成が行われる。
【００２７】画像形成部８は、断層画像すなわちＢモード画像を形成する回路である。断層画像は制御部６の制御を受けて形成され、形成された断層画像は表示部１０に出力される。
【００２８】送受信回路４、画像形成部８は各種パラメータを設定され、それらに基づいて動作する。本装置では、各種パラメータについて画質調整により得られた値のセット（パラメータセット）が制御部６から記憶部１２に記録される。記憶部１２はパラメータセットを複数蓄積することができる。
【００２９】入力部１４は、本装置に対し各種パラメータ値等を入力するためのものであり、例えば、キーボード、マウスや、装置の操作パネル上に設けられるボタン、ダイヤルなどである。ユーザは入力部１４を操作してパラメータの値を制御部６に入力することができ、制御部６は入力されたパラメータの値を送受信回路４、画像形成部８に設定する。また、ユーザは入力部１４を操作して制御部６に対し指示を与えることにより、記憶部１２に記憶されているパラメータセットを選択することができる。選択されたパラメータセットは記憶部１２から読み出され、送受信回路４、画像形成部８に設定される。
【００３０】画質調整に用いられる画質調整パラメータには、例えば、ゲイン、コントラスト、アコースティックパワー、ＡＧＣ、レリーフ、ＦＴＣ、フレーム相関、ライン相関、周波数といったものがあり、これらについての値の組がパラメータセットを構成する。ちなみに、ここでＡＧＣパラメータはＡＧＣ回路に入力される信号の強弱によって応じて増幅度を変化させるためのものであり、強い反射波に対しては増幅度を抑制し、弱い反射波に対しては増幅度を向上させる。このパラメータを調節することにより、飽和してしまうような大信号が一定以下のレベルに低下され、境界が明瞭な画像が得られる。またＦＴＣパラメータは信号の変化分のみを検出し、エコーの境界を強調するためのものである。レリーフパラメータはパルス信号を縁取りする処理に関するものであり、これにより画像のシャープさを調節することができる。
【００３１】次に本装置の機能、動作について説明する。本装置の大きな特徴の一つは、制御部６が、記憶部１２に蓄積される各パラメータセットごとに、当該パラメータセットに含まれる少なくとも１種類の画質調整パラメータの値に基づいてインデックスを生成して付与する点にある。例えば、インデックスは被検者の性状に応じたものに定義される。具体的には、被検者が太っている場合は痩せている場合より受信信号の減衰量が大きいため、太っている場合には、ゲインやコントラストを上げることにより良好な画質が得られ、一方、痩せている場合にはゲインやアコースティックパワーを下げることにより良好な画質が得られる。よって、これら画質調整パラメータを用いて、被検者の太っている程度に応じたインデックスを定義することが可能である。例えば、インデックス（Index）はアコースティックパワー（Ｐ）、ゲイン（Ｇ）、コントラスト（Ｃ）及び周波数（Ｆ）に基
づいて次式によって定義される。
【００３２】
【数１】
　　Index ＝ Ｐ＋５・Ｇ＋１６・Ｃ−５０・Ｆ　　………（１）
ユーザが被検体に応じて画質を良好とする調整を行った場合、その調整結果のパラメータセットが、制御部６によりインデックスを付与された上で記憶部１２に格納される。パラメータセットの格納のタイミングは、ユーザが操作パネルから直接的に指示を与えることができる。また、例えば、ユーザが動画像をフリーズする操作に連動してパラメータセットを記憶部１２に格納することもできる。これは、フリーズするタイミングは、静止画像に基づいて診断部位を精査したり、写真撮影等によりデータの記録を行おうとするときであり、この時点では通常、画質調整が終了しているからである。」
　
「【図１】
　　　　　　　　　　　　　　　　　　　　　　　　　　　　　　　」
　
　
（３）本願補正発明と引用発明との対比
ア　対比
　本願補正発明と引用発明とを対比する。
　
（ア）引用発明の「入力装置１３」が、本願補正発明の「入力手段」に相当する。
　
（イ）引用発明の「超音波プローブ１２から被検体Ｐに超音波が送信されると、当該送信超音波は、体内組織の音響インピーダンスの不連続面で次々と反射され、エコー信号として超音波プローブ１２に受信され」ることが、本願補正発明の「被検体に超音波を送波し、前記送波された超音波の反射波を受け」ることに相当し、引用発明の「超音波プローブ１２が受信した体内組織からのエコー信号は、入力装置１３から入力され設定された各種パラメータを用いて画像データに生成され、、モニター１４に表示され」ることが、本願補正発明の「前記反射波に基づいて画像データを生成し、前記生成した画像データに基づいて診断用画像を表示する」ことに相当するから、引用発明の「超音波プローブ１２から被検体Ｐに超音波が送信されると、当該送信超音波は、体内組織の音響インピーダンスの不連続面で次々と反射され、エコー信号として超音波プローブ１２に受信され、超音波プローブ１２が受信した体内組織からのエコー信号は、入力装置１３から入力され設定された各種パラメータを用いて画像データに生成され、、モニター１４に表示され」るために用いられる「超音波プローブ１２、入力装置１３、モニタ１４、送受信ユニット２１、Ｂモード処理ユニット２２、ドプラ処理ユニット２３、画像生成回路２５、画像メモリ２６、制御プロセッサ２７、記憶部２８、パラメータ管理部２９、インタフェース部３０」が、本願補正発明の「被検体に超音波を送波し、前記送波された超音波の反射波を受け、前記反射波に基づいて画像データを生成し、前記生成した画像データに基づいて診断用画像を表示するための各構成要素」に相当する。
　
（ウ）引用発明の「入力装置１３から入力され設定された各種パラメータ」が本願補正発明の「入力情報」に相当するから、引用発明の「超音波プローブ１２が受信した体内組織からのエコー信号は、入力装置１３から入力され設定された各種パラメータを用いて画像データに生成され、、モニター１４に表示され」ることが、本願補正発明の「前記各構成要素を前記入力手段からの入力情報に基づいて制御する制御手段」を「有」することに相当する。
　
（エ）引用発明の「記憶の対象となるパラメータ（記憶対象パラメータ）は、当該超音波診断装置の動作制御の際に設定され、且つ超音波画像の画質に影響を与えるもののうち、検査者が選択した任意のパラメータ」であることを踏まえた上で「パラメータの値の変更情報を受信し、受信した情報が記憶対象パラメータに該当するか否かを判定」することが、本願補正発明の「前記入力情報について前記診断用画像の画質に関わるものか否かを判定」することに相当し、また、引用発明の「パラメータ履歴情報記憶部２９５」において「保存」された「パラメータ履歴情報」が、本願補正発明の「前記抽出されたパラメータの値に基づく制御を行うためのファイル」であって「前記診断用画像の画質に関わる前記入力情報が入力された順序に基づいて作成するファイル」に相当するから、引用発明の「パラメータ管理部２９によって、所定のパラメータの設定値を、所定の指標と対応付けて自動的に記憶するパラメータ設定自動記憶機能が備えられ、上記パラメータ設定自動記憶機能において、記憶の対象となるパラメータ（記憶対象パラメータ）は、当該超音波診断装置の動作制御の際に設定され、且つ超音波画像の画質に影響を与えるもののうち、検査者が選択した任意のパラメータであり」、「パラメータ管理部２９のパラメータ設定モニタリング部２９１は、パラメータの値の変更情報を受信し、受信した情報が記憶対象パラメータに該当するか否かを判定し、記憶対象パラメータに該当すると判定した場合には、パラメータ設定モニタリング部２９１は、パラメータの値の変更情報をパラメータ履歴情報記憶部２９５に送り出し、パラメータ履歴情報記憶部２９５は、受け取ったパラメータの値の変更情報を時刻情報及び指標と対応付け、パラメータ履歴情報として保存する」ことが、本願補正発明の「前記入力手段から順次入力される複数の前記入力情報について前記診断用画像の画質に関わるものか否かを判定し、前記複数の入力情報のうちから、前記診断用画像の画質に関わるパラメータの値を抽出し、前記抽出されたパラメータの値に基づく制御を行うためのファイルを、前記診断用画像の画質に関わる前記入力情報が入力された順序に基づいて作成するファイル作成手段とを有」することに相当する。
　
（オ）引用発明の「本自動記憶は、スイッチ・ボタン１３ｂのある特定のスイッチやボタン等が押された場合に、これをトリガとして実施され」ることが、本願補正発明の「前記ファイル作成手段は、前記入力手段に設けられた操作キーによる指示に基づいて前記ファイルを作成する」ことに相当する。
　
イ　一致点
　よって、本願補正発明と引用発明は、
「入力手段と、
　被検体に超音波を送波し、前記送波された超音波の反射波を受け、前記反射波に基づいて画像データを生成し、前記生成した画像データに基づいて診断用画像を表示するための各構成要素と、
　前記各構成要素を前記入力手段からの入力情報に基づいて制御する制御手段と、
　前記入力手段から順次入力される複数の前記入力情報について前記診断用画像の画質に関わるものか否かを判定し、前記複数の入力情報のうちから、前記診断用画像の画質に関わるパラメータの値を抽出し、前記抽出されたパラメータの値に基づく制御を行うためのファイルを、前記診断用画像の画質に関わる前記入力情報が入力された順序に基づいて作成するファイル作成手段とを有し、
　前記ファイル作成手段は、前記入力手段に設けられた操作キーによる指示に基づいて前記ファイルを作成する超音波診断装置。」
の発明である点で一致し、次の点で相違する。
　
ウ　相違点
　ファイル作成手段が、本願補正発明においては、「入力情報が前記診断用画像のデータの保存並びに前記診断用画像のフリーズ及びプリントのうち少なくとも一つを含むとき、前記ファイルの作成を終了する」のに対して、引用発明においては、パラメータ履歴情報の保存の終了のタイミングについての特定がない点。
　
（４）当審の判断
ア　上記各相違点について検討する。
　引用例２には、検査対象に応じた調整の結果に基づく新たなパラメータセットを前記記憶手段に登録する登録手段を有する超音波診断装置について、
「ユーザが動画像をフリーズする操作に連動してパラメータセットを記憶部１２に格納することもできる。これは、フリーズするタイミングは、静止画像に基づいて診断部位を精査したり、写真撮影等によりデータの記録を行おうとするときであり、この時点では通常、画質調整が終了しているからである。」（【００３２】）
と記載されており、引用例２には、画質調整に関するパラメータの履歴情報の作成及び保存（格納）終了のタイミングをユーザが動画像をフリーズするタイミングとすることが記載されているといえる。
　引用発明において、画質調整に関するパラメータの履歴情報の作成及び保存を終了するタイミングについては、種々のタイミングが考え得るところ、引用例２に記載された技術を参酌し、ユーザの調整終了が推定され得るタイミングである「ユーザが動画像をフリーズするとき」に終了するとして、上記相違点に係る本願補正発明の発明特定事項を得ることは、当業者が容易に想到し得たことである。
　
イ　本願補正発明の奏する作用効果
　そして、本願補正発明によってもたらされる効果は、引用発明及び引用例２に記載された発明から当業者が予測し得る程度のものである。
　
ウ　まとめ
　以上のとおりであり、本願補正発明は、引用発明及び引用例２に記載された発明に基いて当業者が容易に発明をすることができたものであるから、特許法第２９条第２項の規定により特許を受けることができない。
　
（５）むすび
　したがって、本願補正発明は特許出願の際独立して特許を受けることができるものであるということができないから、本件補正は、特許法第１７条の２第６項で準用する同法第１２６条第７項の規定に違反するものであり、同法第１５９条第１項で読み替えて準用する同法第５３条第１項の規定により却下されるべきものである。
　
 第３　本願発明について
１　本願発明
　平成２５年１月１６日付けの手続補正は上記のとおり却下されたので、本願の請求項９に係る発明（以下「本願発明」という。）は、平成２４年７月１３日付けの手続補正による補正された特許請求の範囲の請求項９に記載された事項により特定されるとおりのものである。（上記「第２　平成２５年１月１６日付けの手続補正についての補正の却下の決定」の「１　本件補正について」の記載参照。）
　
２　引用例
　原査定の拒絶の理由に引用された引用例（引用例１のみ）の記載事項及び引用発明については、上記「第２　平成２５年１月１６日付けの手続補正についての補正の却下の決定」の「２　独立特許要件違反についての検討」の「（２）引用例」の「ア」及び「イ」に記載したとおりである。
　
３　対比・判断
（１）対比・一致点・相違点
　そこで、本願発明と引用発明とを対比すると、上記「第２　平成２５年１月１６日付けの手続補正についての補正の却下の決定」の「２　独立特許要件違反についての検討」の「（３）本願補正発明と引用発明との対比」の「ア　対比」における（ア）ないし（エ）に記載の手法及び結果と同様の手法及び結果により、本願発明と引用発明は、
「入力手段と、
　被検体に超音波を送波し、前記送波された超音波の反射波を受け、前記反射波に基づいて画像データを生成し、前記生成した画像データに基づいて診断用画像を表示するための各構成要素と、
　前記各構成要素を前記入力手段からの入力情報に基づいて制御する制御手段と、
　前記入力手段から順次入力される複数の前記入力情報について前記診断用画像の画質に関わるものか否かを判定し、前記複数の入力情報のうちから、前記診断用画像の画質に関わるパラメータの値を抽出し、前記抽出されたパラメータの値に基づく制御を行うためのファイルを、前記診断用画像の画質に関わる前記入力情報が入力された順序に基づいて作成するファイル作成手段とを有する超音波診断装置。」
の発明である点で一致し、両者に、格別、相違するところが存在しない。
　
（２）当審の判断
　よって、本願発明は、引用発明であるというべきである。
　
４　むすび
　以上のとおり、本願発明は、引用例１に記載された発明であるから、特許法第２９条第１項第３号に規定する発明に該当し、特許を受けることができない。
　したがって、その余の請求項に係る発明について論及するまでもなく、本願は拒絶すべきものである。
　
　よって、結論のとおり審決する。